(57)【特許請求の範囲】
【請求項１】
フード部を有する上衣とズボンとが一体に形成されたツナギ型の防護服であって、
前記フード部の前面にあるフード開口部の下側縁部から前面側の腰部まで形成された開閉自在な前面開閉部と、
前記フード開口部の上側縁部から前記フード部の上面を通って背面側の腰部まで延びる開放自在な開放部と、を有する、防護服。
【請求項２】
前記開放部は、前記フード部に左右の張力が加えられることにより前記フード開口部の上側縁部から前記開放部を開放する部材により構成されている、請求項１に記載の防護服。
【請求項３】
前記フード部には、前記フード開口部の上側縁部を覆うカバー部材が設けられ、
前記カバー部材は、前記上側縁部から取り外し自在である、請求項２に記載の防護服。
【請求項４】
前記開放部は、開閉自在に構成されている、請求項１に記載の防護服。
【請求項５】
前記開放部と前記前面開閉部は、防護服の左右の中心線に沿って形成されている、請求項１〜４のいずれかに記載の防護服。
【発明の詳細な説明】
【技術分野】
【０００１】
本発明は、フード部を有する上衣とズボンとが一体に形成されたツナギ型の防護服に関する。
【背景技術】
【０００２】
例えばインフルエンザなどのウィルスや細菌の感染を防ぐ防護服として、フード付きの上衣とズボンとを一体に形成したツナギ型の防護服がある。
【０００３】
この種の防護服は、前面中央の首根元辺りから股辺りに掛けて開閉自在なファスナーが設けられているものが一般的であり、このファスナーを開いて防護服を着脱できる（特許文献１、２参照。）。脱衣の際には、ファスナーを開いて前面中央を開口し、初めにフードを脱ぐ。その後前開きの開口部から肩を抜き、続いて腕を抜いて上半身を脱衣し、その後下半身を脱衣している。
【先行技術文献】
【特許文献】
【０００４】
【特許文献１】特開２００５−２３４６０号公報
【特許文献２】特開２００１−１１６８８６号公報
【発明の概要】
【発明が解決しようとする課題】
【０００５】
しかしながら、上述のような防護服は、前面中央を開口しても、ツナギ型であるため、ズボン部分により上衣部分の動きが制限され、肩を抜き難い。加えて、両肩部分に繋がっているフードが、前開きの開口部の左右の開きを制限するため、肩を抜く作業がさらに困難となる。肩が抜けないと腕を抜く動きに移行できないため、脱衣が困難で、脱衣に時間がかかってしまう。このため、上述のような防護服は、例えば医療従事者が防護服を迅速に脱衣して患者に次の処理を施したいような場合にも脱衣に時間がかかり、対応が遅れる原因にもなり得る。
【０００６】
本発明は、かかる点に鑑みてなされたものであり、脱衣し易く、迅速に脱衣可能な防護服を提供することをその目的とする。
【課題を解決するための手段】
【０００７】
上記目的を達成するための本発明は、フード部を有する上衣とズボンとが一体に形成されたツナギ型の防護服であって、前記フード部の前面にあるフード開口部の下側縁部から前面側の腰部まで形成された開閉自在な前面開閉部と、前記フード開口部の上側縁部から前記フード部の上面を通って背面側の腰部まで延びる開放自在な開放部と、を有する。
【０００８】
本発明によれば、前面開閉部の開放に加えて、開放部によりフード部が開放されるので、従来のようなフード部による両肩の左右の開きの規制がなくなり、防護服をより大きく自由に開口することができる。よって、防護服の脱衣が容易になり、脱衣を迅速に行うことができる。また、かかる場合、開放部と前面開閉部を広く開口できるので、脱衣が容易になる。
【０００９】
前記開放部は、前記フード部に左右の張力が加えられることにより前記フード開口部の上側縁部から前記開放部を開放する部材により構成されていてもよい。かかる場合、背面側の手の届き難い場所にある開放部も、簡単に開放することができ、脱衣が容易になる。
【００１０】
前記フード部には、前記フード開口部の上側縁部を覆うカバー部材が設けられ、前記カバー部材は、前記上側縁部から取り外し自在であってもよい。かかる場合、フード開口部の上側縁部がカバー部材によって保護されるので、脱衣時以外の時に誤ってフード開口部の上側縁部から開放部の開放が開始されることを防止できる。
【００１１】
前記開放部は、開閉自在に構成されていてもよい。かかる場合、例えば着衣時に開放部を一旦開放しその後閉めることができるので、着衣が容易になる。
【００１４】
前記開放部と前記前面開閉部は、防護服の左右の中心線に沿って形成されていてもよい。かかる場合、防護服を左右対称にできるので、防護服の裁断、縫合などの製造が容易になる。
【００１５】
別の観点による参考例は、フード部を有する上衣とズボンとが一体に形成されたツナギ型の防護服であって、前記フード部の前面にあるフード開口部の上側縁部から前記フード部の上面を通って背面側に延びる開閉自在な開閉部を有する。
【００１６】
本参考例によれば、開閉部によりフード部が開放されるので、従来のようなフード部による両肩の左右の開きの規制がなくなり、防護服をより大きく自由に開口することができる。よって、防護服の脱衣が容易になり、脱衣を迅速に行うことができる。
【００１７】
前記開閉部は、前記フード開口部の上側縁部から背面側の腰部まで形成されていてもよい。かかる場合、開放部を広く開口できるので、脱衣が容易になる。
【発明の効果】
【００１８】
本発明によれば、防護服の脱衣が容易になり、短時間で迅速に脱衣できる。
【図面の簡単な説明】
【００１９】
【図１】本実施の形態にかかる防護服の前面を示す図である。
【図２】防護服の背面の図である。
【図３】フード開口部の上側縁部周辺の構成を示す図である。
【図４】フード開口部の上側縁部のカバー部材が閉じられた状態を示す図である。
【図５】フード開口部の上側縁部のカバー部材が開いた状態を示す図である。
【図６】前面開閉部と開放部が開いた状態の防護服の前面を示す図である。
【図７】前面開閉部と開放部が開いた状態の防護服の背面を示す図である。
【図８】前面開閉部がない防護服の前面を示す図である。
【図９】前面開閉部がない防護服の背面を示す図である。
【図１０】改良前の前開きの防護服を示す図である。
【発明を実施するための形態】
【００２０】
以下、図面を参照して、本発明の好ましい実施の形態について説明する。図１は、本実施の形態にかかる防護服１の一例を示す前面図である。図２は、防護服１の背面図である。
【００２１】
防護服１は、上衣１０とズボン１１が一体に形成されたツナギ型のものである。上衣１０は、フード部２０、胴体部２１及び１対の袖部２２を有し、ズボン１１は、１対の脚部２３を有している。フード部２０の前面には、視界を確保するための略円状のフード開口部３０が形成されている。
【００２２】
防護服１は、前面中央を直線状に開閉自在な前面開閉部４０を有している。前面開閉部４０は、例えばフード開口部３０の下側縁部３０ａから腰部４１まで下方に向かって形成されている。前面開閉部４０は、例えば右前身頃４２と左前身頃４３の接合部となる中心線Ａ上に形成されている。なお、ここで、腰部とは、防護服の脇と股の中間若しくは当該中間より下側のいずれかの部分である。
【００２３】
前面開閉部４０は、例えば線ファスナー５０により構成されている。例えば線ファスナー５０の上止が下側縁部３０ａに設置され、下止が腰部４１に設置されており、上から下に線ファスナー５０のスライダー５０ａを移動させることにより前面開閉部４０を開放し、下から上にスライダー５０ａを移動させることにより前面開閉部４０を閉鎖できる。
【００２４】
前面開閉部４０の近傍には、閉じたときに前面開閉部４０を覆い、開いたときに前面開閉部４０を露出させるカバー部材６０が設けられている。カバー部材６０は、例えば他の部分の生地と同材質で形成されている。カバー部材６０は、例えば面ファスナーなどの固定部材（図示せず）によって閉じた状態を維持できる。
【００２５】
防護服１は、図１及び図２に示すようにフード開口部３０の上側縁部３０ｂからフード部２０の上面を通って背面側に延びる開放自在な開放部７０を有している。開放部７０は、例えば背面側の腰部７１まで形成されている。開放部７０は、フード右半部２０ａとフード左半部２０ｂの接合部上と右後身頃７２と左後身頃７３の接合部上を通る中心線Ｂ上に形成されている。
【００２６】
開放部７０は、例えばフード部２０に左右の張力を加えることにより上側縁部３０ｂから開放部７０を開放する部材、例えば引裂ファスナー８０により形成されている。引裂ファスナー８０は、例えば図３に示すように線ファスナーの一対のエレメント（務歯）８０ａを有し、エレメント８０ａに左右方向の張力をかけることにより上側縁部３０ｂを始点として腰部７１の終点まで引き裂くことができる。
【００２７】
また、開放部７０の引裂ファスナー８０は、カバー部材９０により覆われている。カバー部材９０は、例えば長方形の帯状に形成されている。カバー部材９０の長辺の一辺側が開放部７０に沿ってフード右半部２０ａ及び右後身頃７２に縫合され、長辺の他辺側が面ファスナー９１により開放部７０近傍のフード左半部２０ｂ及び左後身頃７３に固定されている。防護服１の脱衣時には、例えば開放部７０の引裂ファスナー８０が２つに分離されるとともに、面ファスナー９１の固定が外れてカバー部材９０がフード左半部２０ｂ及び左後身頃７３から離脱する。
【００２８】
また、フード部２０には、閉じたときにフード開口部３０の上側縁部３０ｂを覆い、開いたときに上側縁部３０ｂを露出させるカバー部材１００が設けられている。カバー部材１００は、例えば方形状に形成されている。カバー部材１００は、接合片１００ａによりフード左半部２０ｂの裏面に接合され、開いたときにフード開口部３０側に突出する。カバー部材１００は、図４に示すようにフード開口部３０の周縁を折り線として、カバー部材９０の上から上側縁部３０ｂ上に折り返すことができる。図５に示すようにカバー部材９０の表面及びフード左半部２０ｂの表面と、それに対応するカバー部材１００の内面には、面ファスナー１０１が取り付けられており、カバー部材１００を上側縁部３０ｂに対して取り外しできる。なお、本実施の形態では、面ファスナーによりカバー部材９０、１００を閉じた状態に固定していたが、ボタンやホック、両面テープなどの他の固定部材により固定してもよい。
【００２９】
上記防護服１の製造は、例えば次のように行われる。先ず、生地がフード右半部２０ａ、フード左半部２０ｂ、右前身頃４２、左前身頃４３  右後身頃７２、左後身頃７３、袖部２２、脚部２３等の各パーツに裁断され、それぞれのパーツが互いに縫合或いは溶着されて接合される。なお、生地の素材や構造等は、防護服１の目的に応じて適宜選択される。この際に、例えば右前身頃４２と左前身頃４３の接合部の一部、フード右半部２０ａとフード左半部２０ｂの接合部、及び右後身頃７２と左後身頃７３の接合部の一部は、縫合或いは溶着されない。そして、それらの接合部上に、線ファスナー５０、引裂ファスナー８０がそれぞれ縫合或いは溶着により取り付けられ、前面開閉部４０と開放部７０が形成される。
【００３０】
防護服１の着衣、脱衣は次のように行われる。防護服１を着衣する際には、体を前面開閉部４０の開口から防護服１内に入れて防護服１を装着し、続いて線ファスナー５０のスライダー５０ａを腰部４１からフード開口部３０の下側縁部３０ａまで移動させて、線ファスナー５０を閉めて前面開閉部４０を閉鎖する。その後、カバー部材６０を閉じて前面開閉部４０を覆う。なお、開放部７０は閉じた状態にある。
【００３１】
防護服１を脱衣する際には、カバー部材６０を開き前面開閉部４０を露出させる。図６に示すように線ファスナー５０のスライダー５０ａをフード開口部３０の下側縁部３０ａから腰部４１に移動させ、線ファスナー５０を開けて前面開閉部４０を開放する。次に開放部７０を開放する。このとき、カバー部材１００を下側に引張って開き、上側縁部３０ｂを露出させる。次に、例えばフード右半部２０ａとフード左半部２０ｂを持って上側縁部３０ｂを左右に引っ張る。こうすることにより、図６及び図７に示すように引裂ファスナー８０が上側縁部３０ｂから腰部７１に向かって２つに引き裂かれ、開放部７０が開放される。この結果、防護服１の上部に大きな開口が形成され、ここから両肩及び両腕を抜いてズボン１１を脱いで脱衣する。
【００３２】
以上の実施の形態によれば、前面開閉部４０の開放に加えて、開放部７０によりフード部２０が開放されるので、従来のようなフード部２０による両肩の左右の開きの規制がなくなり、防護服１をより大きく自由に開口することができる。よって、防護服１の脱衣が容易になり、脱衣を迅速に行うことができる。
【００３３】
また、開放部７０は、引裂ファスナー８０により構成されているので、背面側の手の届き難い場所にある開放部７０も簡単に開放することができ、脱衣が容易になる。
【００３４】
上記実施の形態では、フード部２０に、フード開口部３０の上側縁部３０ｂを覆うカバー部材１００が設けられている。このため、上側縁部３０ｂがカバー部材１００により保護されるので、脱衣時以外の時に誤って上側縁部３０ｂから開放部７０の開放が開始されることを防止できる。
【００３５】
開放部７０は、フード開口部３０の上側縁部３０ｂから背面側の腰部７１まで形成されているので、開放部７０を広く開口でき脱衣が容易になる。
【００３６】
前面開閉部４０は、フード開口部３０の下側縁部３０ａから前面側の腰部４１まで形成されているので、前面開閉部４０を広く開口でき脱衣が容易になる。
【００３７】
開放部７０と前面開閉部４０は、防護服１の中心線Ａ、Ｂに沿って形成されているので、防護服１が左右対称になり、防護服１の裁断、縫合などの製造が容易になる。
【００３８】
以上の実施の形態では、開放部７０に引裂ファスナー８０が用いられていたが、左右に張力を加えることによりフード開口部３０の上側縁部３０ｂから開放部７０を開放する部材であればこれに限られない。例えばスライダーをエレメントの外側に引き出すことによりスライダーがエレメントから外れ、その後エレメントの左右に張力をかけることにより簡単に開く、いわゆるトップオープンファスナーなどを用いてもよい。
【００３９】
また、以上の実施の形態では、開放のみができる引裂ファスナー８０を用いていたが、引裂ファスナー８０に代えて例えば線ファスナーなどを用いて、開放部７０を開閉自在にしてもよい。かかる場合、例えば防護服１の着衣時に前面開閉部４０に加え開放部７０を一旦開放しその後閉じることができるので、着衣が容易になる。
【００４０】
以上の実施の形態で記載した防護服１において、図８及び図９に示すように前面開閉部４０を設けず、開放部７０を開閉自在な開閉部７０としてもよい。この開閉部７０は、例えば引裂ファスナーに代えて線ファスナー８０により構成される。なお、その他の構成は、上記実施の形態と同様であるので同じ符号を用いて説明を省略する。
【００４１】
かかる場合の防護服１の着衣、脱衣は、次のように行われる。防護服１を着衣する際には、体を開閉部７０の開口から防護服１内に入れて防護服１を装着し、続いて線ファスナー８０のスライダーを腰部７１からフード開口部３０の上側縁部３０ｂまで移動させて、線ファスナー８０を閉めて開閉部７０を閉鎖する。その後、例えばカバー部材９０及びカバー部材１００を閉じて開閉部７０を覆う。
【００４２】
防護服１を脱衣する際には、カバー部材９０及びカバー部材１００を開き、開閉部７０を露出させる。次に、線ファスナー８０のスライダーをフード開口部３０の上側縁部３０ｂから腰部７１まで移動させて、線ファスナー８０を開けて開閉部７０を開放する。この開閉部７０の開口から両肩を抜いて脱衣する。
【００４３】
かかる場合も、開閉部７０によりフード部２０が開放されるので、従来のようなフード部による両肩の左右の開きの規制がなくなり、防護服１をより大きく自由に開口することができる。よって、防護服１の脱衣が容易になり、脱衣を迅速に行うことができる。
【００４４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４５】
例えば以上の実施の形態では、開放部７０及び開閉部７０は、フード開口部３０の上側縁部３０ｂから腰部７１まで達していたが、必ずしもその必要はなく、例えばフード部２０の背面、上衣１０の背中部分など途中までであってもよいし、腰部７１より長く股まで達していてもよい。また、前面開閉部４０は、フード開口部３０の下側縁部３０ａから腰部４１まで達していたが、必ずしもその必要はなく、その途中であってもよし、腰部４１より長く股まで達していてもよい。
【００４６】
また、本発明は、ウィルスや細菌の防護服に限られず、虫などの生物から身を護るものや、化学物質や放射線などから身を護るもの、耐熱、耐水、耐圧のためのものなど他の用途の防護服にも適用できる。
【実施例】
【００４７】
本実施の形態に係る前面開閉部４０と開放部７０を有する防護服１と、前開きのみの防護服との脱衣時間を比較する実験を行った。本実験では、図１０に示すように前開きのみの防護服１２０として、前面中央にフード部１２１の首根元１２２から股１２３にかけてファスナー付き開閉部１２４が形成されているものが用いられた。実験は、無作為に選ばれた５人が防護服１と防護服１２０をそれぞれ脱衣し、脱衣に要した時間を計測することで行った。実験の結果は、防護服１の脱衣の５人の平均時間は２４秒であり、防護服１２０の脱衣の５人の平均時間は４７秒であった。防護服１は防護服１２０の約４８％の時間で脱衣できた。
【産業上の利用可能性】
【００４８】
本発明は、脱衣し易い防護服を実現する際に有用である。
【符号の説明】
【００４９】
１  防護服
１０  上衣
１１  ズボン
２０  フード部
３０  フード開口部
３０ａ  下側縁部
３０ｂ  上側端部
４０  前面開閉部
７０  開放部
【図１】
0005560066.tif 000002
【図２】
0005560066.tif 000003
【図３】
0005560066.tif 000004
【図４】
0005560066.tif 000005
【図５】
0005560066.tif 000006
【図６】
0005560066.tif 000007
【図７】
0005560066.tif 000008
【図８】
0005560066.tif 000009
【図９】
0005560066.tif 000010
【図１０】
0005560066.tif 000011